(57)【要約】【課題】追記箇所を容易に探索できるようにすること。【解決手段】追記が行われたページを表示する場合には、音を発することで、追記が行われたページであることを報知するようにした（ステップＳ１０６及びＳ１０７）。そのため、追記が行われたページを表示する場合、追記が行われた箇所が表示されるまでに時間がかかるときにも、前記ページの表示操作直後に、追記が行われた箇所があることを知ることができ、その結果、追記箇所を容易に探すことができる。【選択図】図６
2007226679.tif 000002
【特許請求の範囲】
【請求項１】
所定の情報を表示体に表示する情報表示装置であって、
前記表示体に表示されている情報に追記を行う追記手段と、その追記手段で追記が行われた情報を表示する場合には、前記追記が行われた情報であることを報知する報知動作を行う報知手段と、を備えたことを特徴とする情報表示装置。
【請求項２】
前記報知手段は、前記追記が行われた情報を表示する場合には、音を発することで、前記追記が行われた情報であることを報知することを特徴とする請求項１に記載の情報表示装置。
【請求項３】
前記報知手段は、前記追記が行われた情報を表示する場合には、振動を発することで、前記追記が行われた情報であることを報知することを特徴とする請求項１又は２に記載の情報表示装置。
【請求項４】
前記報知手段は、前記追記が行われた情報を表示する場合には、追記が行われた箇所から表示を開始することで、前記追記が行われた情報であることを報知することを特徴とする請求項１から３のいずれか１項に記載の情報表示装置。
【請求項５】
前記報知手段は、前記追記が行われた情報を表示する場合には、その情報の所定割合以上が前記表示体に表示されるまでは、他の情報を表示させるための操作を受け付けない状態とすることで、前記追記が行われた情報であることを報知することを特徴とする請求項１から３のいずれか１項に記載の情報表示装置。
【請求項６】
前記表示体の表示内容を所定方向に書き換える書き換え手段と、前記追記が行われた情報を探す探索モードを設定するモード設定手段と、を備え、
前記書き換え手段は、前記モード設定手段で探索モードが設定された場合には、表示内容の書き換え方向をそれまでの書き換え方向と直行する方向に設定する書き換え方向設定手段と、を備えることを特徴とする請求項１から５のいずれか１項に記載の情報表示装置。
【請求項７】
所定の情報を表示体に表示する情報表示装置であって、
前記表示体の表示内容を所定方向に書き換える書き換え手段と、前記表示体に表示されている情報に追記を行う追記手段と、その追記手段で追記が行われた情報を探す探索モードを設定するモード設定手段と、を備え、
前記書き換え手段は、前記モード設定手段で探索モードに設定された場合には、表示内容の書き換え方向をそれまでの書き換え方向と直行する方向に設定する書き換え方向設定手段と、を備えることを特徴とする情報表示装置。
【発明の詳細な説明】
【技術分野】
【０００１】
本発明は、所定の情報を性表示体に表示する情報表示装置に関する。
【背景技術】
【０００２】
従来、この種の情報表示装置としては、例えば、複数のページからなる電子書籍の各ページを、電力供給が停止されても表示内容を保持できるコレステリック液晶表示体に切り換え表示することで（コレステリック液晶表示体の平面視上側のラインから順番に書き換えることで）、利用者に閲覧させるものがある（例えば、特許文献１参照）。
このような情報表示装置にあっては、一般に、電子書籍の閲覧時に、後で特定個所を参照できるように、その特定個所に対してキー入力やペン入力で、アンダーラインやマーカーペンで目印をつけることや、メモを書き込むことができるようになっている。
【特許文献１】特開２００５−１４１４８８号公報
【発明の開示】
【発明が解決しようとする課題】
【０００３】
しかしながら、上記従来の情報表示装置にあっては、コレステリック液晶表示体の平面視上側のラインから順番に書き換えるようになっているため、例えば、アンダーライン等の追記が行われたページを表示する場合、追記が行われた箇所が平面視下側にあると、追記が行われた箇所が表示されるまでに時間がかかってしまい、その結果、追記が行われた箇所を探すために各ページを順次切り換え表示させているときには、追記が行われた箇所が表示される前に、他のページへの切り替え操作が行われる恐れがあった。
【０００４】
本発明は、上記従来の技術の未解決の問題点を解決することを目的とするものであって、追記箇所を容易に探すことができる情報表示装置を提供することを課題とする。
【課題を解決するための手段】
【０００５】
上記課題を解決するために、所定の情報を表示体に表示する情報表示装置であって、所定の情報を表示体に表示する情報表示装置であって、前記表示体に表示されている情報に追記を行う追記手段と、その追記手段で追記が行われた情報を表示する場合には、前記追記が行われた情報であることを報知する報知動作を行う報知手段と、を備えたことを特徴とする。
【０００６】
また、前記報知手段は、前記追記が行われた情報を表示する場合には、音を発することで、前記追記が行われた情報であることを報知するようにしてもよい。
さらに、前記報知手段は、前記追記が行われた情報を表示する場合には、振動を発することで、前記追記が行われた情報であることを報知するようにしてもよい。
また、前記報知手段は、前記追記が行われた情報を表示する場合には、追記が行われた箇所から表示を開始することで、前記追記が行われた情報であることを報知するようにしてもよい。
【０００７】
さらに、前記報知手段は、前記追記が行われた情報を表示する場合には、その情報の所定割合以上が前記表示体に表示されるまでは、他の情報を表示させるための操作を受け付けない状態とすることで、前記追記が行われた情報であることを報知するようにしてもよい。
このような構成によれば、追記が行われたページを表示する場合、追記が行われた箇所が表示されるまでに時間がかかるときにも、前記ページの表示操作直後に、追記が行われた箇所があることを知ることができ、その結果、追記箇所を容易に探すことができる。
【０００８】
また、前記表示体の表示内容を所定方向に書き換える書き換え手段と、前記追記が行われた情報を探す探索モードを設定するモード設定手段と、を備え、前記書き換え手段は、前記モード設定手段で探索モードが設定された場合には、表示内容の書き換え方向をそれまでの書き換え方向と直行する方向に設定する書き換え方向設定手段と、を備えるようにしてもよい。
【０００９】
さらに、本発明の情報表示装置は、所定の情報を表示体に表示する情報表示装置であって、前記表示体の表示内容を所定方向に書き換える書き換え手段と、前記表示体に表示されている情報に追記を行う追記手段と、その追記手段で追記が行われた情報を探す探索モードを設定するモード設定手段と、を備え、前記書き換え手段は、前記モード設定手段で探索モードに設定された場合には、表示内容の書き換え方向をそれまでの書き換え方向と直行する方向に設定する書き換え方向設定手段と、を備えることを特徴とする。
【００１０】
このような構成によれば、横書きでレイアウトされているオフィスドキュメントを、記憶性表示体の平面視上側のラインから順に描画されていた場合には、探索モードに設定することで、記憶性表示体の平面視左側のラインから順に描画させることができる。その結果、人間の動作として一般的に行われるページを捲りながら探す行為に表示状態を近づけることができ、また、少しの書き換えでページの概要を把握させることができる。
【発明を実施するための最良の形態】
【００１１】
以下、本発明の情報表示装置の一実施形態を図面に基づいて説明する。
図１は、本実施形態の情報表示装置の外観を示す斜視図である。図２は、図１の情報表示装置の内部構成を示すブロック図である。
この図１及び図２に示すように、情報表示装置１は、キー２、ペン入力部３、メモリカードコントローラ４、ＲＯＭ(Read Only Memory)５、ＲＡＭ(Random Access Memory)６、ＣＰＵ７、スピーカ８、画像メモリ９、ディスプレイコントローラ１０、及びディスプレイ１１を含んで構成される。
【００１２】
キー２は、カーソルキー２1、及び探索キー２2を含んで構成される。
カーソルキー２1は、ディスプレイ１１に表示されているページを次ページに切り換えるときに操作させる十字型の押し下げボタンである。そして、キー２は、次ページに切り換えるための操作が行われると、次ページに切り換えさせるコマンド（ページ送りコマンド）をＣＰＵ７に出力する。
【００１３】
探索キー２2は、しおり、アンダーライン、マーキング、取り消し線、テキストのメモ書き、イラストのメモ書き等の追記情報があるページを探すときに（探索モードに遷移するときに）操作させる押し下げボタンである。そして、探索キー２2は、探索モードに遷移するための操作が行われると、探索モードに遷移させるコマンド（探索モード遷移コマンド）をＣＰＵ７に出力する。
【００１４】
ペン入力部３は、ディスプレイ１１に表示されているページに追記情報を描き込むときに操作させる入力手段である。そして、ペン入力部３は、追記情報を描き込むための操作が行われると、追記情報を描き込ませるコマンド（描き込みコマンド）及び描き込まれたデータをＣＰＵ７に出力する。
メモリカードコントローラ４は、表示対象となるページのデータ、及び追記情報のデータを格納するメモリカード４1とＣＰＵ７との間のデータ転送を制御する。
【００１５】
ＲＯＭ５は、ＣＰＵ７により実行される基本制御プログラムやアプリケーションプログラム等の各種プログラム及びこれら各種プログラムに係るデータを格納する。
ＲＡＭ６は、ＣＰＵ７がプログラムを実行するときに各種プログラムを展開するワークエリアを形成するとともに、ＣＰＵ７により実行される各種プログラムに係るデータを記憶するメモリ領域を形成する。
【００１６】
ＣＰＵ７は、ＲＯＭ５に格納されている各種プログラムを読み込み、それらをＲＡＭ６内に形成されるワークエリアに展開して各部２〜１１を制御する。
具体的には、ＣＰＵ７は、ペン入力部３から描き込みコマンドが出力されると、その描き込みコマンドに従って追記情報のデータ（しおり情報、アンダーライン情報、マーキング情報等）を生成する追記情報データ生成処理を実行する。
【００１７】
なお、追記情報のデータの生成方法としては、特開２００１−１２５９２１号公報、特開２００５−１４１４８８号公報に記載されている方法が挙げられる。また、パーソナルコンピュータ等の外部機器と連携して生成するようにしてもよい。
また、ＣＰＵ７は、追記情報のデータの生成時に、ディスプレイ１１に表示されているページと追記情報とを関連付けるテーブルデータも生成する。
【００１８】
テーブルデータは、図３に示すように、ページ情報、属性情報、付属情報１、及び付属情報２を含んで構成される。
ページ情報は、追記情報が付加されたコンテンツ名及びそのページ番号が格納される。
属性情報は、追記情報のデータの種類情報（しおり情報、アンダーライン情報、メモ書き情報）が格納される。なお、追記情報のデータが生成されていない場合には、ページ情報の欄には、情報をなにも格納しない。
【００１９】
付属情報１及び付属情報２は、属性情報としてアンダーライン情報、マーキング情報、又は取り消し線情報が格納されている場合には、付属情報１として追記情報の描画開始位地の文字を格納し、付属情報２として追記情報の描画終了位地の文字を格納する。
付属情報１及び付属情報２は、属性情報としてテキストのメモ書き情報が格納されている場合には、付属情報１として追記情報の描画開始位置（座標データ）を格納し、付属情報２にテキストデータのファイル名（例えば、text.dat）を格納する。
【００２０】
付属情報１及び付属情報２は、属性情報としてイラストのメモ書きが格納されている場合には、付属情報１として追記情報の描画開始位置（座標データ）を格納し、付属情報２としてイラストデータのファイル名（例えば、illustration.gif）を格納する。
ディスプレイコントローラ１０は、ＣＰＵ７から縦描画コマンドが出力されると、図４に示すように、ディスプレイ１１の平面視左側の画素列（平面視縦方向に伸びている画素列）から順に画像メモリ９に格納されているフレームデータをディスプレイ１１に描画する。すなわち、ディスプレイコントローラ１０は、フレームデータをディスプレイ１１に１ライン単位で描画するため、描画速度が比較的遅くなっている。
【００２１】
ここで、図４は、ディスプレイ１１の書き換え方向を説明するための説明図であって、（ａ）は、ディスプレイ１１の書き換え前の状態を示す図であり、（ｂ）は、書き換え途中の状態を示す図であり、（ｃ）は、書き換え終了後の状態を示す図であり、（ｄ）は、書き換え途中に新たに書き換えを開始した状態を示す図である。
なお、図４（ｂ）にあっては、ディスプレイ１１の中央部に黒いラインが現れているが、これは画素列の書き換え直前に行われる黒色へのリセット動作によるものであり、このラインより左側が次ページの画像であって右側が前ページの画像である。
【００２２】
また、図４（ｄ）にあっては、ディスプレイ１１に黒いラインが２本現れているが、これは書き換え動作により画面中央まで書き換えられたときに、その書き換え途中の状態が保持されたまま、平面視左側から新しく書き換えが開始されたためである。
また、ディスプレイコントローラ１０は、ＣＰＵ７から横描画コマンドが出力されると、ディスプレイ１１の平面視上側の画素列（平面視横方向に伸びている画素列）から順に画像メモリ９に格納されているフレームデータをディスプレイ１１に描画する。
【００２３】
ここで、図５は、ディスプレイ１１の書き換え方向を説明するための説明図であり、（ａ）は、ディスプレイ１１の書き換え前の状態を示す図であり、（ｂ）は、書き換え途中の状態を示す図であり、（ｃ）は、書き換え終了後の状態を示す図であり、（ｄ）は、書き換え途中に新たに書き換えを開始した状態を示す図である。
なお、図５（ｂ）にあっては、ディスプレイ１１の中央部に黒いラインが現れているが、これは画素列の書き換え直前に行われる黒色へのリセット動作によるものであり、このラインより上側が次ページの画像であって下側が前ページの画像である。
【００２４】
また、図５（ｄ）にあっては、ディスプレイ１１に黒いラインが２本現れているが、これは書き換え動作により画面中央まで書き換えられたときに、その書き換え途中の状態が保持されたまま、平面視上端から新しく書き換えが開始されたためである。
ディスプレイ１１は、電力供給が停止されても表示内容を保持できる記憶性表示体１１1（コレステリック液晶）を含んで構成される。そして、ディスプレイ１１は、ディスプレイコントローラ１０によって記憶性表示体１１1の表示内容が書き換えられる。
なお、表示内容の書き換えは、ディスプレイ１１のドライバ１１2を介して１ライン単位で行われ、１ライン当たり１msec.の書き換え時間がかかる。そのため、例えば、２０００×１５００の記憶性表示体１１1を書き換える場合には約２秒の時間がかかる。
【００２５】
さらに、ＣＰＵ７は、カーソルキー２1からページ送りコマンドが出力されると、次ページの画像データとページの追記データをメモリカード４1より読み出しを行って、フレームデータを生成して画像メモリ９に格納し、そのフレームデータをディスプレイ１１の平面視上側のラインから順に描画させるコマンド（縦描画コマンド）をディスプレイコントローラ１０に出力するページ表示処理（後述）を実行する。また、ページ表示処理にあっては、探索キー２2から探索モード遷移コマンドが出力されると、次ページのフレームデータをディスプレイ１１の平面視左側のラインから順に描画させるコマンド（横描画コマンド）をディスプレイコントローラ１０に出力し、さらに、追記情報があると、ビープ音を発生させるコマンド（ビープ音コマンド）をスピーカ８に出力する。
【００２６】
＜ＣＰＵの動作＞
次に、ＣＰＵ７で実行されるページ表示処理を図６のフローチャートに基づいて説明する。このページ表示処理は、カーソルキー２1からページ送りコマンドが出力されると実行される処理であって、まず、そのステップＳ１０１で、ディスプレイコントローラ１０の動作状態を検出する。
次にステップＳ１０２に移行して、前記ステップＳ１０１の検出結果に基づいてディスプレイコントローラ１０が描画動作を行っているか否かを判定する。そして、描画動作を行っている場合には（Ｙｅｓ）ステップＳ１０３に移行し、描画動作を行っていない場合には（Ｎｏ）ステップＳ１０４に移行する。
【００２７】
前記ステップＳ１０３では、描画動作を中断さえるコマンド（描画中断コマンド）をディスプレイコントローラ１０に出力してから、前記ステップＳ１０４に移行する。
前記ステップＳ１０４では、探索キー２2から探索モード遷移コマンドが出力されたか否かを判定する。そして、探索モード遷移コマンドが出力された場合には（Ｙｅｓ）ステップＳ１０５に移行し、探索モード遷移コマンドが出力されていない場合には（Ｎｏ）ステップＳ１１５に移行する。
【００２８】
前記ステップＳ１０５では、ディスプレイ１１に表示されているページの次ページのテーブルデータをメモリカードコントローラ４を介してメモリカードから読み出す。
次にステップＳ１０６に移行して、前記ステップＳ１０５で読みだされたテーブルデータの属性情報の欄に追記情報のデータの種類情報が格納されているか否かを判定する。そして、格納されている場合には（Ｙｅｓ）ステップＳ１０７に移行し、格納されていない場合には（Ｎｏ）ステップＳ１１２に移行する。
次にステップＳ１０７に移行して、ビープ音コマンドをスピーカ８に出力する。
【００２９】
次にステップＳ１０８に移行して、ディスプレイ１１に表示されているページの次ページのデータをメモリカードコントローラ４を介してメモリカードから読み出す。
次にステップＳ１０９に移行して、前記ステップＳ１０８で読み出されたデータを縦描画用フレームデータに変換し、その変換結果を画像メモリ９に展開する。
なお、前記読み出されたデータが画像データである場合には、そのデータをそのままフレームデータとする。
【００３０】
また、前記読み出されたデータがテキストデータである場合には、フォント作成及びレイアウトを行ってフレームデータを生成する。
次にステップＳ１１０に移行して、前記ステップＳ１０５で読み出されたテーブルデータの付属情報２が示すファイル名のデータ（追記情報のデータ）をメモリカードコントローラ４を介してメモリカードから読み出す。
【００３１】
次にステップＳ１１１に移行して、前記ステップＳ１１０で読み出された追記情報のデータを縦描画用フレームデータに変換し、その変換結果を画像メモリ９に上書きしてから（すなわち、表示対象であるページに追記情報が付加された画像の縦描画用フレームデータを画像メモリ９に格納してから）、ステップＳ１１４に移行する。
一方、前記ステップＳ１１２では、ディスプレイ１１に表示されているページの次ページのデータをメモリカードコントローラ４を介してメモリカードから読み出す。
【００３２】
次にステップＳ１１３に移行して、前記ステップＳ１１２で読み出されたデータを縦描画用フレームデータに変換し、その変換結果を画像メモリ９に展開してから、前記ステップＳ１１４に移行する。
前記ステップＳ１１４では、前記ステップＳ１１１又はＳ１１３で画像メモリ９に展開された縦描画用フレームデータをディスプレイ１１に描画させる縦描画コマンドをディスプレイコントローラ１０に出力してから、この演算処理を終了する。
【００３３】
一方、前記ステップＳ１１５では、ディスプレイ１１に表示されているページの次ページのデータをメモリカードコントローラ４を介してメモリカードから読み出す。
次にステップＳ１１６に移行して、前記ステップＳ１１５で読み出されたデータを横描画用フレームデータに変換し、その変換結果を画像メモリ９に展開する。
次にステップＳ１１７に移行して、前記ステップＳ１１６で画像メモリ９に展開された縦描画用フレームデータをディスプレイ１１に描画させる横描画コマンドをディスプレイコントローラ１０に出力してから、この演算処理を終了する。
【００３４】
＜情報表示装置の具体的動作＞
次に、本実施形態の情報表示装置１の動作を具体的状態に基づいて説明する。
まず、図７（ａ）に示すように、横書きでレイアウトされているオフィスドキュメントから追記が行われたページの該当箇所（追記箇所）を探すために、利用者が探索キー２2を押下した状態で、カーソルキー２1を押し下げたとする。すると、カーソルキー２1によって、ページ送りコマンドがＣＰＵ７に出力され、探索キー２2によって、探索モード遷移コマンドがＣＰＵ７に出力され、ＣＰＵ７によって、ページ表示処理が実行され、図６に示すように、まず、そのステップＳ１０１で、ディスプレイコントローラ１０の動作状態が検出され、停止状態であったとすると、ステップＳ１０２の判定が「Ｎｏ」となり、ステップＳ１０４の判定が「Ｙｅｓ」となり、ステップＳ１０５で、ディスプレイ１１に表示されているページの次ページのテーブルデータがメモリカードコントローラ４を介してメモリカードから読み出され、追記データがあるとすると、ステップＳ１０６の判定が「Ｙｅｓ」となり、ステップＳ１０７で、ビープ音コマンドがスピーカ８に出力される。そして、スピーカ８によって、図７（ｂ）に示すように、ビープ音が発せられる。
【００３５】
また、ステップＳ１０８で、ディスプレイ１１に表示されているページの次ページのデータがメモリカードコントローラ４を介してメモリカードから読み出され、ステップＳ１０９で、前記読み出されたデータが縦描画用フレームデータに変換され、その変換結果が画像メモリ９に展開され、ステップＳ１１０で、前記読み出されたテーブルデータの付属情報２が示すファイル名のデータ（追記情報のデータ）がメモリカードコントローラ４を介してメモリカードから読み出され、ステップＳ１１１で、その読み出された追記情報のデータが縦描画用フレームデータに変換され、その変換結果が画像メモリ９に上書きされ、ステップＳ１１４で、画像メモリ９に展開された縦描画用フレームデータをディスプレイ１１に描画させる描画コマンドがディスプレイコントローラ１０に出力される。
【００３６】
そして、ディスプレイコントローラ１０によって、図５（ｂ）に示すように、ディスプレイ１１の平面視左側の画素列（平面視縦方向に伸びている画素列）から順に画像メモリ９に格納されているフレームデータがディスプレイ１１に描画される。
このように、本実施形態の情報表示装置１にあっては、追記が行われたページを表示する場合には、音を発することで、追記が行われたページであることを報知するようにした。そのため、追記が行われたページを表示する場合、追記が行われた箇所が表示されるまでに時間がかかるときにも、前記ページの表示操作直後に、追記が行われた箇所があることを知ることができ、その結果、追記箇所を容易に探すことができる。
【００３７】
また、探索キー２2が操作されている場合には、表示内容の書き換え方向を横方向（ディスプレイ１１の平面視左側から平面視右側に向かう方向）に設定するようにした。そのため、横書きでレイアウトされているオフィスドキュメントを、ディスプレイ１１の平面視上側のラインから順に描画されていた場合には、探索キー２2を操作することで、ディスプレイ１１の平面視左側のラインから順に描画させることができる。その結果、人間の動作として一般的に行われるページを捲りながら探す行為に表示状態を近づけることができ、また、少しの書き換えでページの概要を把握させることができる。
【００３８】
なお、上記実施形態では、図１、図２のペン入力部３が特許請求の範囲に記載の追記手段を構成し、以下同様に、図２のＣＰＵ７、スピーカ８、図６のステップＳ１０６、Ｓ１０７が報知手段を構成し、図１の探索キー２2、図２のキー２、ＣＰＵ７、図６のステップＳ１０４がモード設定手段を構成し、図２のＣＰＵ７、図６のステップＳ１０６が書き換え方向設定手段を構成する。
【００３９】
また、本発明の情報表示装置は、上記実施の形態の内容に限定されるものではなく、本発明の趣旨を逸脱しない範囲で適宜変更可能である。
上記実施形態では、追記が行われたページを表示する場合に、ディスプレイ１１の平面視左側の画素列から順にディスプレイ１１を書き換える例を示したが、これに限られるものではない。例えば、追記が行われた箇所から表示を開始するようにしてもよい。
【００４０】
具体的には、図８に示すように、図６のページ表示処理のステップＳ１０７を削除するとともに、ステップＳ１１１の後にテーブルデータの属性情報１が示す位置から表示内容の書き換えを開始するステップＳ２０１を設けるようにしてもよい。
また、追記が行われたページを表示する場合に、音を発する例を示したが、これに限られるものではない。例えば、振動を発するようにしてもよい。
【００４１】
さらに、例えば、追記が行われたページを表示する場合には、そのページの所定割合以上（例えば、半分）がディスプレイ１１に表示されるまでは、他のページを表示させるための操作を受け付けない状態としてもよい。
【図面の簡単な説明】
【００４２】
【図１】本発明の情報表示装置の一実施形態の外観を示す斜視図である。
【図２】図１の情報表示装置の内部構成を示すブロック図である。
【図３】テーブルデータの構成を説明するための説明図である。
【図４】ディスプレイの書き換え方向を説明するための説明図である。
【図５】ディスプレイの書き換え方向を説明するための説明図である。
【図６】ページ表示処理のフローを示すフローチャートである。
【図７】情報表示装置の動作を説明するための説明図である。
【図８】ページ表示処理の変形例を示すフローチャートである。
【図９】情報表示装置の変形例の動作を説明するための説明図である。
【符号の説明】
【００４３】
１は情報表示装置、２はキー、２1はカーソルキー、２2は探索キー、３はペン入力部、４はメモリカードコントローラ、４1はメモリカード、５はＲＯＭ、６はＲＡＭ、７はＣＰＵ、８はスピーカ、９は画像メモリ、１０はディスプレイコントローラ、１１はディスプレイ、１１1は記憶性表示体、１１2はドライバ
【図１】
2007226679.tif 000003
【図２】
2007226679.tif 000004
【図３】
2007226679.tif 000005
【図４】
2007226679.tif 000006
【図５】
2007226679.tif 000007
【図６】
2007226679.tif 000008
【図７】
2007226679.tif 000009
【図８】
2007226679.tif 000010
【図９】
2007226679.tif 000011